(57)【要約】【課題】動物の管理とともに、動物の情報交換を可能とする動物行動管理装置、動物行動管理方法及びそのプログラムを提供する。【解決手段】ペットの動作によって生じる変化を検出する検出装置２２からネットワーク１６を介して検出情報を取得する検出情報取得部６０と、検出情報取得部６０により取得された検出情報を記憶する検出情報ＤＢ６２と、検出情報ＤＢ６２に記憶された検出情報に基づいて、ペットの行動情報を判別する行動情報判別部６６と、行動情報判別部６６によって判別されたペットの行動情報を記憶する行動情報ＤＢ６８と、登録された利用者の情報を記憶する利用者情報ＤＢ７２と、行動情報ＤＢ６８に記憶されたペットの行動情報を、利用者情報ＤＢ７２に記憶された利用者の情報に基づいて、ネットワークを介して利用者端末２０に提供するＳＮＳ管理部６４と、を有する。【選択図】図４
2011044787.tif 000002
【特許請求の範囲】
【請求項１】
動物の動作によって生じる変化を検出する検出器からネットワークを介して検出情報を取得する検出情報取得手段と、
前記検出情報取得手段により取得された検出情報を記憶する検出情報記憶手段と、
前記情報記憶手段に記憶された検出情報に基づいて、動物の行動情報を判別する行動情報判別手段と、
前記行動情報判別手段によって判別された動物の行動情報を記憶する行動情報記憶手段と、
登録された利用者の情報を記憶する利用者情報記憶手段と、
前記行動情報記憶手段に記憶された動物の行動情報を、利用者情報記憶手段に記憶された利用者の情報に基づいて、ネットワークを介して利用者の端末に提供する情報管理手段と、
を有する動物行動管理装置。
【請求項２】
前記検出器は、少なくとも加速度センサを含む請求項１記載の動物行動管理装置。
【請求項３】
前記行動情報記憶手段は、前記行動判別手段によって判別された動物の行動情報を日時と対応づけて記憶し、
前記情報管理手段は、動物の行動情報を、日付に対応付けられたイラストとして表示するように利用者の端末に提供する請求項１又は２記載の動物行動管理装置。
【請求項４】
コンピュータが、動物の行動を検出する検出器を介して検出情報を取得し、
コンピュータが、取得された検出情報を記憶し、
コンピュータが、記憶された検出情報から動物の行動情報を判別し、
コンピュータが、登録された利用者の情報を記憶し、
コンピュータが、判別した動物の行動情報を、記憶された利用者の情報に基づいて、ネットワークを介して利用者に提供する
動物行動管理方法。
【請求項５】
コンピュータを含む動物行動管理装置において、
動物の行動を検出する検出器を介して検出情報を取得するステップと、
取得された検出情報を記憶するステップと、
記憶された検出情報から動物の行動情報を判別するステップと、
登録された利用者の情報を記憶するステップと、
判別した動物の行動情報を、ネットワークを介して利用者に提供するステップとを、
前記動物行動管理装置のコンピュータに実行させるプログラム。
【発明の詳細な説明】
【技術分野】
【０００１】
本発明は、動物行動管理装置、動物行動管理方法及びそのプログラムに関する。
【背景技術】
【０００２】
犬等のペットを飼っている飼い主は、自分が外出中などでペットの側に居ることができない場合に、留守番中のペットの行動が気にかかることが多い。また、ペットの食事や排便等の行動を記録し把握しておくことは、ペットの健康管理に役立つ。
【０００３】
一方で、ペットを通じた地域内のコミュニケーションが盛んに行われている。このため、各会員同士がペットの情報交換を行うことができるようなコミュニケーションサイトが望まれている。
【０００４】
特許文献１では、利用者が旅行などにより自宅を留守にする際、ペットショップ等に預けたペットの状況を旅行先等から確認するために、固定カメラによって撮影されたペットの画像と管理者のコメントとを含む利用者ごとのホームページを、表示端末に送信するネットワークを利用した監視システムが開示されている。
【０００５】
特許文献２では、モニタを観察することなくペットの行動情報を容易に取得するために、画像データによりペットを識別する識別手段や餌供給装置を制御する制御手段等に基づいてペットの行動情報を記憶し、この行動情報を外部からアクセスして読み出すことができるとするペット監視システムが開示されている。
【０００６】
特許文献３では、健康管理の必要性から、ペットに不快感を与えることなく体温データを検出できるＩＣタグを用いて、体温情報が異常と判断されると獣医師等に通報するペット監視装置が開示されている。
【先行技術文献】
【特許文献】
【０００７】
【特許文献１】特開２００２−３５１９７２号公報
【特許文献２】特開２００３−８５号公報
【特許文献３】特開２００７−２３６２５０号公報
【発明の概要】
【発明が解決しようとする課題】
【０００８】
しかしながら、従来技術においてはペットの行動及び健康を十分に把握できていないという問題があった。また、ペットの情報は飼い主等、限られた者しか閲覧できず、情報交換することができないという問題があった。
【０００９】
本発明は、動物の管理とともに、動物の情報交換を可能とする動物行動管理装置、動物行動管理方法及びそのプログラムを提供することを目的とする。
【課題を解決するための手段】
【００１０】
［動物行動管理装置］
上記目的を達成するために、本発明に係る動物行動管理装置は、動物の動作によって生じる変化を検出する検出器からネットワークを介して検出情報を取得する検出情報取得手段と、前記検出情報取得手段により取得された検出情報を記憶する検出情報記憶手段と、前記情報記憶手段に記憶された検出情報に基づいて、動物の行動情報を判別する行動情報判別手段と、前記行動情報判別手段によって判別された動物の行動情報を記憶する行動情報記憶手段と、登録された利用者の情報を記憶する利用者情報記憶手段と、前記行動情報記憶手段に記憶された動物の行動情報を、利用者情報記憶手段に記憶された利用者の情報に基づいて、ネットワークを介して利用者の端末に提供する情報管理手段と、を有する。このため、動物の行動管理とともに、動物の情報交換をすることができる。
【００１１】
好適には、前記検出器は、少なくとも加速度センサを含む。このため、本構成を有さない場合と比較して、より正確に動物の動作により生じる変化を検出することができる。
【００１２】
好適には前記行動情報記憶手段は、前記行動判別手段によって判別されたペットの行動情報を日時と対応づけて記憶し、前記情報管理手段は、ペットの行動情報を、日付に対応付けられたイラストとして表示する。このため、本構成を有さない場合と比較して、より容易に動物の行動を把握することができる。
【００１３】
［動物行動管理方法］
また、本発明に係る動物行動管理方法は、コンピュータが、動物の行動を検出する検出器を介して検出情報を取得し、コンピュータが、取得された検出情報を記憶し、コンピュータが、記憶された検出情報から動物の行動情報を判別し、コンピュータが、登録された利用者の情報を記憶し、コンピュータが、判別した動物の行動情報を、記憶された利用者の情報に基づいて、ネットワークを介して利用者に提供する。
【００１４】
［プログラム］
また、本発明に係るペットプログラムは、コンピュータを含む動物行動管理装置において、動物の行動を検出する検出器を介して検出情報を取得するステップと、取得された検出情報を記憶するステップと、記憶された検出情報から動物の行動情報を判別するステップと、登録された利用者の情報を記憶するステップと、判別した動物の行動情報を、ネットワークを介して利用者に提供するステップとを、前記ペット管理装置のコンピュータに実行させる。
【発明の効果】
【００１５】
本発明に係る動物行動管理装置によれば、動物の行動管理とともに、動物の情報交換を可能とすることができる。
【図面の簡単な説明】
【００１６】
【図１】本発明の一実施形態に係るペット管理システムの概略図である。
【図２】本発明の一実施形態に係るペット端末の構成図である。
【図３】本発明の一実施形態に係るペット管理装置の構成図である。
【図４】本発明の一実施形態に係るペット管理装置により実行され、ペット管理方法を実現するペット管理プログラムの構成図である。
【図５】図５（ａ）は、行動情報ＤＢに記憶される行動情報を、図５（ｂ）は、ペット情報ＤＢに記憶されるペット情報を、それぞれ例示する図である。
【図６】行動情報の登録処理及びＳＮＳサイト作成（更新）処理に関するペット管理装置の動作を示すフローチャートである。
【図７】参加登録を希望する利用者（参加希望者）が参加登録を行う際の、ペット管理システムの処理を説明するフローチャートである。
【図８】利用者がＳＮＳサイトにアクセスする際の、ペット管理システムの処理を説明するフローチャートである。
【図９】参加者トップページを例示する図である。
【図１０】マイペット行動履歴ページを例示する図である。
【図１１】利用者が、「マイペット行動履歴ページ」にアクセスする際の、ペット管理システムの処理を説明するフローチャートである。
【図１２】ペット検索ページを例示する図である。
【図１３】検索結果ページを例示する図である。
【図１４】他の参加者ページを例示する図である。
【図１５】利用者が、「他の参加者行動履歴ページ」にアクセスする際の、ペット管理システムの処理を説明するフローチャートである。
【発明を実施するための形態】
【００１７】
図１は、本発明の一実施形態に係るペット管理システム１の構成図を示す。ペット管理システム１は、例えば犬等のペット１２に取り付けられるペット端末１４と、例えばＬＡＮ（Ｌｏｃａｌ  Ａｒｅａ  Ｎｅｔｗｏｒｋ）又はＷＡＮ（Ｗｏｒｌｄ  Ａｒｅａ  Ｎｅｔｗｏｒｋ）等からなるネットワーク１６と、ペット管理装置１８と、パーソナルコンピュータ等の汎用コンピュータや携帯電話等の各利用者が用いる利用者端末２０から構成される。
【００１８】
ペット管理装置１８は、ウエブサーバとしての機能を有し、ペット端末１４からペット１２の行動に関する検出情報を取得し、この検出情報に基づいて行動情報を判別する。また、ペット管理装置１８は、この行動情報に基づいて対応するペット１２のウエブサイトを作成（更新）し、ＳＮＳ(Ｓｏｃｉａｌ  Ｎｅｔｗｏｒｋｉｎｇ  Ｓｅｒｖｉｃｅ、ソーシャルネットワーキングサービス）を提供する。
【００１９】
図２は、ペット端末１４の構成図を示す。
ペット端末１４は、例えば、ペットの首輪に組み込まれ使用される。ペット端末１４は、検出装置２２、検出情報記憶装置２４及び通信装置２６を有する。検出装置２２は、例えば、加速度センサ３０、集音装置３２及び測位システム３４からなり、ペットの行動に伴って生じる加速度（振動、方向等）、音（鳴き声、周囲音等）あるいは移動場所を検出する。検出装置２２に加速度センサ３０を用いることで、ペット１２の行動をより正確に判別することが可能となる。また、ペット端末１４を首輪に組み込むことで、例えばペット端末１４のみが揺れ動く等によるペット１２の行動に起因しない余計な情報を検出しにくくなり、ペット１２の行動をより正確に判別することが可能となる。
【００２０】
検出情報記憶装置２４は、検出装置２２による検出情報を一時的に記憶する。検出情報記憶装置２４に記憶された情報は、メモリ（非図示）に記憶されたペット識別情報（ＩＤ）と対応づけられ、通信装置２６を介してタイマ（非図示）によって設定される間隔で定期的（例えば５分毎）にネットワーク１６へ無線送信される。ペットＩＤは、例えば、ペット端末１４固有のシリアル番号又は、それぞれのペット１２に対応して付与される識別情報である。
【００２１】
図３は、ペット管理装置１８のハードウェア構成を示す。
ペット管理装置１８は、例えばサーバとして機能する汎用コンピュータであり、ＣＰＵ４０及びメモリ４２などを含む制御装置４４と、ハードディスクドライブなどの記憶装置４６と、ネットワーク１６を介して外部のコンピュータ等とデータの送信及び受信を行う通信装置４８と、液晶ディスプレイなどの表示装置、キーボード及びマウス等のポインティングデバイスを含むユーザインタフェース（ＵＩ）装置５０とから構成される。
【００２２】
図４は、ペット管理装置１８の制御装置５０により実行されるペット管理プログラム２の機能構成を示す。
ペット管理プログラム２は、検出情報取得部６０、検出情報データベース（ＤＢ）６２、行動対応ＤＢ６４、行動情報判別部６６、行動情報ＤＢ６８、ペット情報ＤＢ７０、利用者情報ＤＢ７２及びＳＮＳ管理部７４により構成される。
ＳＮＳ管理部７４は、認証管理部７６及びペット情報設定部７８を有する。
【００２３】
ペット管理プログラム２は、例えば、コンパクトディスク（ＣＤ）等の記憶媒体５２を介して制御装置５０に供給され、メモリ４２にロードされて実行する。なお、ネットワーク１６に接続された外部のコンピュータから通信装置４８を介して制御装置５０に供給されるようにしてもよい。
【００２４】
ペット管理プログラム２において、検出情報取得部６０は、ペット端末１４から送信されるペットＩＤに対応付けられた検出情報を取得する。検出情報取得部６０は、取得した検出情報を検出情報ＤＢ６２に対して出力する。
【００２５】
検出情報ＤＢ６２は、検出情報取得部６０から入力された検出情報をペットＩＤ及び日時に対応付けて記憶する。
【００２６】
行動対応ＤＢ６４は、予め実験などにより求められた、検出情報と行動情報の対応関係、を記憶する。すなわち、行動対応ＤＢ６４には、検出情報に対応するペット１２の行動情報が記憶されている。行動情報は、例えば「運動」、「食事」、「睡眠」及び「排便」等の項目からなる。
【００２７】
具体的には、例えば、「加速度センサ３０により測定される加速度が小さな値（所定範囲の数値）であり（これにより、ペット１２が動き回らず所定の場所にいると判別）、集音器３２により測定される音が小さな値（所定範囲の数値）であり（これにより、ペット１２が鳴き声を発していないと判別）、測位システム３４により測定されるペット１２の居場所が小屋である」とする検出情報に対しては、行動対応ＤＢ６４には、ペット１２の行動情報として「睡眠」が記憶されている。
【００２８】
行動情報判別部６６は、検出情報ＤＢ６２に記憶されている検出情報と、行動対応ＤＢ６４に記憶されている対応関係とに基づいて、ペット１２の行動情報を判別する。行動情報判別部６６は、判別した行動情報をペットＩＤ及び日時と対応付けて行動情報ＤＢ６８に対して出力する。
【００２９】
行動情報ＤＢ６８は、行動情報判別部６６により判別されたペット１２の行動情報を、ペットＩＤ及び日時と対応付けて記憶する。
【００３０】
ペット情報ＤＢ７０は、ペット１２に関する情報（属性情報）を、ペットＩＤに対応付けて記憶する。
【００３１】
利用者情報ＤＢ７２は、利用者がＳＮＳに参加登録するための登録情報を記憶する。登録情報には、利用者の「氏名」、「年齢」、「住所」及び「連絡先（メールアドレス等）」が含まれる。
【００３２】
ＳＮＳ管理部７４は、管理者が運営するＳＮＳサイトの作成・更新・リンク等を管理する。例えば、利用者（ペット１２）ごとに設定されるページに、ペット情報ＤＢ７０に記憶された情報に基づく内容が表示されるよう管理する。また、行動情報ＤＢ６８に新たな情報が記憶（更新）されると、利用者（ペット１２）ごとに設定されるページに、その内容が反映されるように管理する。
【００３３】
ＳＮＳ管理部７４の認証管理部７６は、参加登録した利用者にログインＩＤ及びパスワードを付与し、また、利用者が入力するログインＩＤ及びパスワードの認証を行う。また、ＳＮＳ管理部７４のペット情報設定部７８は、利用者の要求に応じて、この利用者（飼い主）のペット１２に関する情報をペット情報ＤＢ７０に出力する。
【００３４】
図５（ａ）は、行動情報ＤＢ６８に記憶される行動情報を例示し、図５（ｂ）は、ペット情報ＤＢ７０に記憶されるペット情報を例示する。
図５（ａ）に示すように、行動情報ＤＢ６８は、それぞれの利用者のペット１２を一意に特定できるように作成されたペットＩＤに対応付けて、このペット１２の行動（「日時」及び「行動情報」等）を記憶する。
【００３５】
図５（ｂ）に示すように、ペット情報ＤＢ７０は、ペットＩＤに対応付けてペット１２の属性情報を記憶する。ペット１２の属性情報は、例えば、「種類（犬種）」、「名前（ペット名）」、「性別」、「体重」、「生年月日」、「好物」、「飼い主（利用者）」及び「地域（住まい）」等からなる。
【００３６】
図６は、ペット１２の行動情報の登録処理及びＳＮＳサイト作成（更新）処理に関するペット管理装置１８の動作（Ｓ１０）のフローチャートを示す。
ステップ１００（Ｓ１００）において、検出情報取得部６０は、ペット端末１４からペットＩＤ及び日時に対応付けられた検出情報を取得すると、この検出情報を検出情報ＤＢ６２に格納する。
【００３７】
ステップ１０２（Ｓ１０２）において、行動情報判別部６６は、検出情報ＤＢ６２に検出情報が追加されたことを検知すると、この検出情報と行動対応ＤＢ６４に記憶された対応関係に基づいて、行動情報を判別し、この行動情報をペットＩＤ及び日時と対応付けて行動情報ＤＢ６８に格納する。
【００３８】
ステップ１０４（Ｓ１０４）において、ＳＮＳ管理部７４は、ペットＩＤに基づいて行動情報ＤＢ６８とペット情報ＤＢ７０を対応させ、利用者ごとに設定されるページを作成（更新）する。
【００３９】
ステップ１０６（Ｓ１０６）において、ＳＮＳ管理部７４は、利用者の要求に応じて、作成されたページの情報を利用者端末２０に送信する。
このように、利用者は、ネットワーク１６を介してペット管理装置１８に接続された利用者端末２０を用いて、ＳＮＳに参加する構成となっている。
【００４０】
次に、ペット管理装置１８により提供されるＳＮＳサイトの利用について説明する。本実施形態においては、利用者の参加登録には、参加登録している利用者（既存の参加者）の紹介が必要となるように設定されている場合について説明する。
利用者は、ペット管理装置１８が提供するＳＮＳの利用に際して、既存の参加者からの紹介（メール受信等）を介して参加登録を行う。
【００４１】
図７は、参加登録を希望する利用者（参加希望者）が参加登録を行う際の、ペット管理システム１の処理を説明するフローチャート（Ｓ２０）を示す。
ステップ２００（Ｓ２００）において、参加希望者の利用者端末２０は、既存の参加者からの紹介として、ＳＮＳのＵＲＬ等が記載された電子メールを受信する。利用者端末２０は、このＵＲＬ等に基づいて、ペット管理装置１８にＳＮＳ登録ページの表示要求を送信する。
【００４２】
ステップ２０２（Ｓ２０２）において、ペット管理装置１８は、利用者端末２０からのＳＮＳ登録ページ表示要求に対して、ＳＮＳ登録ページ情報を利用者端末２０に送信する。
【００４３】
ステップ２０４（Ｓ２０４）において、利用者端末２０がＳＮＳ登録ページ情報を受信すると、利用者端末２０の表示部はＳＮＳ登録ページを表示する。
【００４４】
ステップ２０６（Ｓ２０６）において、利用者端末２０は、ＳＮＳ登録ページから参加希望者により入力される参加登録の申込を受け付ける。この際、利用者端末２０は、参加希望者（飼い主）の登録情報及び（この飼い主のペットの）ペット情報を受け付ける。利用者端末２０は、参加登録の申込及びペット情報をペット管理装置１８に送信する。
【００４５】
ステップ２０８（Ｓ２０８）において、ペット管理装置１８は、参加登録を行う。
ペット管理装置１８は、利用者端末２０から送信される参加登録の申込を受け付け参加者ＩＤ及びパスワードを作成する。ペット管理装置１８は、作成された参加者ＩＤ及びパスワードを、利用者の登録情報に対応付けて利用者ＤＢ６２に格納する。また、同時に受信したペット情報を、参加者ＩＤと対応づけてペット情報ＤＢ７０に格納する。
【００４６】
ステップ２１０（Ｓ２１０）において、ペット管理装置１８は、参加登録された利用者の利用者端末２０に対し、参加者ＩＤ及びパスワードを送信する。
【００４７】
ステップ２１２（Ｓ２１２）において、利用者端末２０は、ペット管理装置１８から送信された参加者ＩＤ及びパスワードを受信する。
このようにして、参加希望者の参加登録が行われる。利用者は、利用者認証ページにおいて参加者ＩＤ及びパスワードを入力することで、ＳＮＳの利用が可能となる。
【００４８】
図８は、利用者が、ペット管理装置１８により提供されるＳＮＳサイトにアクセスする際の、ペット管理システム１の処理を説明するフローチャート（Ｓ３０）を示す。
ステップ３００（Ｓ３００）において、利用者の利用者端末２０は、ペット管理装置１８に接続要求を送信する。
【００４９】
ステップ３０２（Ｓ３０２）において、ペット管理装置１８は、利用者端末２０からの接続要求を受けて、参加者認証ページ情報を利用者端末２０に対し送信する。
【００５０】
ステップ３０４（Ｓ３０４）において、利用者端末２０が参加者認証ページ情報を受信すると、利用者端末２０の表示部は参加者認証ページを表示する。
【００５１】
ステップ３０６（Ｓ３０６）において、利用者端末２０は、利用者により入力された参加者ＩＤ及びパスワードを、ペット管理装置１８に送信する。
【００５２】
ステップ３０８（Ｓ３０８）において、ペット管理装置１８は、利用者端末２０から参加者ＩＤ及びパスワードを受信すると、これを受けて利用者の認証処理を行う。
【００５３】
ステップ３１０（Ｓ３１０）において、利用者情報ＤＢ７２に記憶されている登録情報との照合により、参加者（参加登録されている利用者）であることが確認されると、利用者ごとに設定されるトップページ（参加者トップページ（図９参照））情報が、利用者端末２０に送信される。
【００５４】
ステップ３１２（Ｓ３１２）において、利用者端末２０が参加者トップページ情報を受信すると、利用者端末２０の表示部は参加者トップページを表示する。
【００５５】
図９は、利用者端末２０の表示部に表示される参加者トップページ８００を例示する。図９に例示するように、参加者トップページ８００には、ペット情報ＤＢ７０に記憶されたペット情報に基づいて、参加者のペット情報として、ペットのイメージ８０２、名前８０４、犬種８０６及び性別８０８が表示される。表示されるペット情報はこれに限られず、好物や飼い主名等、表示したい情報を設定することもできる。なお、ペットのイメージ８０２は、参加登録においてペット情報を入力する際にイメージ（犬種）を選択するようにしてもよいし、利用者が撮影した写真データを表示するようにしてもよい。
【００５６】
参加者トップページ８００には、行動履歴ボタン８１０、ペット検索ボタン８１２が表示される。
行動履歴ボタン８１０は、マイペット行動履歴ページ８２０（図１０参照）を表示させる操作を受け付けるクリッカブルエリアである。マイペット行動履歴ページ８２０には、行動情報ＤＢ６０に記憶された行動情報に基づいて、参加者のペット１２の行動が表示される。
【００５７】
ペット検索ボタン８１２は、後述する検索ページ８４０（図１２参照）を表示させる操作を受け付けるクリッカブルエリアである。検索ページ８４０には、他の参加者のペット１２に関するページを検索するための検索条件が表示される。利用者が、検索ページ８４０において検索条件を入力することで、検索結果ページ８６０（図１３参照）が表示される。この検索結果ページ８６０から所望の情報を選択することで、他の参加者ページ８８０（図１４参照）にアクセスする。
【００５８】
図１０は、利用者端末２０の表示部に表示されるマイペット行動履歴ページ８２０を例示する。
図１０に例示するように、マイペット行動履歴ページ８２０には、日付８２２、時間８２４、行動項目８２６及び行動イメージ８２８が表示される。このため、利用者は、自己のペット１２が、何時にどのような行動をとっていたのかを把握することができる。また、本例では、１時間毎のペット１２の行動を表示するようにしているが、これに限らず、より詳細に１０分毎、２０分毎等の行動を表示するようにしてもよい。
【００５９】
このように、利用者（飼い主）は、外出等で直接ペットの行動を監視あるいは把握することができない時間帯にペットがとった行動を、利用者端末２０を介して、外出先あるいは帰宅後に把握することができる。
【００６０】
また、表示単位は１日毎に限られず、１週間毎、１月毎等に表示するようにしてもよい。これにより、ペット１２の行動習慣を把握することができる。また、「食事」等の回数を把握することでペット１２の健康管理に役立てることもできる。
さらには、日付に対応させて行動項目毎の回数を表示させるようにしてもよい。このようにして「食事」や「排便」等の回数を把握することで、ペット１２の健康管理に役立てることもできる。
【００６１】
図１１は、利用者が、「マイペット行動履歴ページ」にアクセスする際の、ペット管理システム１の処理を説明するフローチャート（Ｓ４０）を示す。
ステップ４００（Ｓ４００）において、利用者が参加者トップページ８００の行動履歴ボタン８１０をクリックすることで、利用者の利用者端末２０は、ペット管理装置１８に「マイペット行動履歴ページ」の接続要求を送信する。
【００６２】
ステップ４０２（Ｓ４０２）において、ペット管理装置１８は、利用者端末２０からの「マイペッ行動履歴ページ」の接続要求を受けて、「マイペット行動履歴ページ」情報を利用者端末２０に対し送信する。
【００６３】
ステップ４０４（Ｓ４０４）において、利用者端末２０が「マイペット行動履歴ページ」情報を受信すると、利用者端末２０の表示部は「マイペット行動履歴ページ」を表示する。
【００６４】
図１２は、利用者端末２０の表示部に表示されるペット検索ページ８４０を例示する。
ペット検索ページ８４０には、「名前」、「犬種」、「地域」及び「性別」の指定情報を指定する指定エリア８４２及び検索ボタン８４４が表示される。指定情報はこれに限られず、「好物」や「生年月日」等を選択するようにしてもよい。検索ボタン８４４は、指定情報に基づいて検索結果ページ８６０を表示させる操作を受け付けるクリッカブルエリアである。
【００６５】
図１３は、利用者端末２０の表示部に表示される検索結果ページ８６０を例示する。
検索結果ページ８６０には、指定情報に該当する他の参加者のペット情報の一覧が表示される。他の参加者のペット情報として、ペット１２のイメージ８６２、名前８６４、犬種８６６、性別８６８及び飼い主８７０が表示される。表示される情報はこれに限られず、好物等、表示したい情報を設定することもできる。
【００６６】
また、検索結果ページ８６０には、ペット情報詳細ボタン８７２が表示される。ペット情報詳細ボタン８７２は、他の参加者ページ８８０を表示させる操作を受け付けるクリッカブルエリアである。
【００６７】
図１４は、利用者端末２０の表示部に表示される他の参加者ページ（本例では「大沢さんページ」）８８０を例示する。「他の参加者ページ８８０」は、他の参加者の「参加者トップページ８００」に相当する。「他の参加者ページ８８０」は、表示する対象が他の参加者のペット１２に関する情報であるのに対し、「参加者トップページ８００」は、自己のペット１２に関する情報を表示するとういう点で異なっている。
【００６８】
他の参加者ページ８８０には、他の参加者のペットのイメージ８８２、名前８８４、犬種８８６及び性別８８８が表示される。表示されるペット情報はこれに限られず、好物や飼い主名等、表示したい情報を設定することもできる。
【００６９】
他の参加者ページ８８０には、行動履歴ボタン８９０、ペット検索ボタン８１２が表示される。行動履歴ボタン８９０は、「他の参加者の行動履歴ページ」を表示させる操作を受け付けるクリッカブルエリアである。このようにして、ＳＮＳ利用者は、他の参加者のペット１２の情報及び行動を閲覧することができる。
【００７０】
図１５は、利用者が、参加者トップページ８００から、他の参加者ページ８８０にアクセスする際の、ペット管理システム１の処理を説明するフローチャート（Ｓ５０）を示す。
ステップ５００（Ｓ５００）において、利用者が参加者トップページ８００のペット検索ボタン８１２をクリックすることで、利用者の利用者端末２０は、ペット管理装置１８に「ペット検索ページ」の接続要求を送信する。
【００７１】
ステップ５０２（Ｓ５０２）において、ペット管理装置１８は、利用者端末２０からの「ペット検索ページ」の接続要求を受けて、「ペット検索ページ」情報を利用者端末２０に対し送信する。
【００７２】
ステップ５０４（Ｓ５０４）において、利用者端末２０が「ペット検索ページ」情報を受信すると、利用者端末２０の表示部はペット検索ページ８４０を表示する（図１２参照）。
【００７３】
ステップ５０６（Ｓ５０６）において、利用者端末２０は、ペット検索ページ８４０から利用者により選択又はキーワード入力される指定情報を受け付ける。利用者端末２０は、利用者が指定情報を指定した後、検索ボタン８４４をクリックすることで、この指定情報をペット管理装置１８に送信する。
【００７４】
ステップ５０８（Ｓ５０８）において、ペット管理装置１８は、利用者端末２０から指定情報を受信すると、この指定情報に応じて、対応する他の参加者のペット１２に関する情報を判別する。
【００７５】
ステップ５１０（Ｓ５１０）において、ペット管理装置１８は、判別した結果に応じて、「検索結果ページ」情報を利用者端末２０に送信する。
【００７６】
ステップ５１２（Ｓ５１２）において、利用者端末２０が「検索結果ページ」情報を受信すると、利用者端末２０の表示部は検索結果ページ８６０を表示する（図１３参照）。
【００７７】
ステップ５１４（Ｓ５１４）において、利用者が検索結果ページ８６０のペット情報詳細ボタン８７２をクリックすることで、利用者の利用者端末２０は、ペット管理装置１８に「他の参加者のページ」の接続要求を送信する。
【００７８】
ステップ５１６（Ｓ５１６）において、ペット管理装置１８は、利用者端末２０からの「他の参加者のページ」の接続要求を受けて、対応する「他の参加者のページ」情報を利用者端末２０に対し送信する。
【００７９】
ステップ５１８（Ｓ５１８）において、利用者端末２０が「他の参加者のページ」情報を受信すると、利用者端末２０の表示部は他の参加者のページ８８０を表示する（図１４参照）。
【００８０】
このように、ＳＮＳ利用者は、自己のペット１２の行動を把握するとともに、他の参加者のペット１２の情報及び行動を閲覧することができる。
本実施形態においては、ＳＮＳ参加登録に際し、既存の参加者の紹介を必要としたが、これに限らず、その他、誰でも自由に参加登録することができるようにしてもよい。
【００８１】
また、ＳＮＳに公開せず、個人的にペット１２の行動を管理するようにしてもよい。
さらに、本実施形態においては管理対象をペット１２として説明したが、これに限らず、老人や幼児あるいは牛等の家畜を対象とすることもできる。
【符号の説明】
【００８２】
１    ペット管理システム
２    ペット管理プログラム
１２    ペット
１４    ペット端末
１６    ネットワーク
１８    ペット管理装置
２０    利用者端末
２２    検出装置
２４    検出情報記憶装置
２６    通信装置
３０    加速度センサ
３２    集音装置
３２    集音器
３４    測位システム
６０    検出情報取得部
６２    検出情報ＤＢ
６４    行動対応ＤＢ
６６    行動情報判別部
６８    行動情報ＤＢ
７０    ペット情報ＤＢ
７２    利用者情報ＤＢ
７４    管理部
７６    認証管理部
７８    ペット情報設定部
８００    参加者トップページ
８２０    マイペット行動履歴ページ
８４０    検索ページ
８４０    ペット検索ページ
８６０    検索結果ページ
８８０    他の参加者ページ
【図１】
2011044787.tif 000003
【図２】
2011044787.tif 000004
【図３】
2011044787.tif 000005
【図４】
2011044787.tif 000006
【図５】
2011044787.tif 000007
【図６】
2011044787.tif 000008
【図７】
2011044787.tif 000009
【図８】
2011044787.tif 000010
【図９】
2011044787.tif 000011
【図１０】
2011044787.tif 000012
【図１１】
2011044787.tif 000013
【図１２】
2011044787.tif 000014
【図１３】
2011044787.tif 000015
【図１４】
2011044787.tif 000016
【図１５】
2011044787.tif 000017